(57)【要約】【課題】  信号線のみが接続されるコネクタを複数備えたデバイスを経由しても後続のデバイスに電源の供給を可能にするとともに、ネットワークを使ったシステムを省配線化、省スペース化できる通信ケーブルを提供する。【解決手段】  両端の端子１０１、１０２間が電源線１０５と信号線１０６、１０７で接続された通信ケーブルにおいて、電源線１０５が両側の端子１０１、１０２間で直結されているとともに、信号線１０６、１０７が両端の端子から配線され、それぞれ別の２つの端子１０３、１０４と接続されている。  【選択図】図１
2007220592.tif 000002
【特許請求の範囲】
【請求項１】
両端の端子（１０１、１０２）間が電源線（１０５）と信号線（１０６、１０７）で接続された通信ケーブルにおいて、
前記電源線（１０５）が前記両側の端子（１０１、１０２）間で直結されているとともに、
前記信号線（１０６、１０７）が前記両側の端子（１０１、１０２）から配線され、それぞれ別の２つの端子（１０３、１０４）と接続されていることを特徴とする通信ケーブル。
【請求項２】
前記両端の端子（１０１、１０２）間が電源線（１０５）と信号線（１０６、１０７）で接続されたケーブルがIEEE1394ケーブルであり、前記信号線（１０６、１０７）が前記両側の端子（１０１、１０２）から配線され、それぞれ別に接続されている２つの端子がIEEE1394a規格の４ピン端子（１０３、１０４）であることを特徴とする請求項１に記載の通信ケーブル。
【請求項３】
前記IEEE1394a規格の4ピン端子に代えて、前記信号線（１０６、１０７）が前記両端の端子から配線され、それぞれ別の２つのIEEE1394a規格の４ピン中継端子（３０１、３０２）と接続されていることを特徴とする請求項２に記載の通信ケーブル。
【請求項４】
前記両端の端子がIEEE1394規格の６ピン端子（１０１、１０２）であることを特徴とする請求項２または請求項３に記載の通信ケーブル。
【請求項５】
前記両端の端子がIEEE1394b規格の９ピン端子（４０１、４０２）であることを特徴とする請求項２または請求項３に記載の通信ケーブル。
【請求項６】
前記両端の端子が一方はIEEE1394b規格の９ピン端子（４０１）であり、他方がIEEE1394規格の６ピン端子（１０２）であることを特徴とする請求項２または請求項３に記載の通信ケーブル。
【発明の詳細な説明】
【技術分野】
【０００１】
本発明は、電源線と信号線を備える通信ケーブルに関する。  
【背景技術】
【０００２】
従来の通信ケーブル特にIEEE1394規格のケーブルは、両端の端子間が電源線と信号線で接続されているものもあれば、両端の端子が信号線のみで接続されているものもある。
図６は従来のIEEE1394規格の６ピン-６ピンケーブルの構成図である。（例えば、非特許文献１参照）
図６において、１０１、１０２はIEEE1394規格の６ピン端子であり、１０１と１０２の電源ピンおよび信号ピンはそれぞれ２本の電源線１０５と、４本の信号線およびシールド線６０１で接続されている。さらに、１０１と１０２のコネクタ間がシールド線６０２で接続されているものもある。このように６ピン端子間が電源線１０５と信号線６０１で接続されているので、６ピン端子１０１に接続された機器から６ピン端子１０２に接続された機器への送電及び通信が可能となる。
図７は従来のIEEE1394a規格の６ピン-４ピンケーブルの構成図である。（例えば、非特許文献２参照）
図７において、１０１はIEEE1394規格の６ピン端子であり、１０３はIEEE1394a規格の４ピン端子であり、６ピン端子１０１と４ピン端子１０３の信号ピンは、４本の信号線とシールド線１０６で接続されている。このように６ピン端子１０１と４ピン端子１０３間が信号線のみで接続されているので、６ピン端子１０１に接続された機器から４ピン端子１０３に接続された機器へは通信のみが可能である。
図８は従来のIEEE1394ケーブルを使用したシステム構成図である。６ピンコネクタを複数備えた送電可能なパソコン２０２と、４ピンコネクタを２つ備えたIEEE1394対応サーボドライブ２０３とが、図７で示した６ピン-４ピンケーブル８０１で接続され、パソコン２０２と、６ピンコネクタを備えIEEE1394ネットワークからの電源で駆動が可能なIEEE1394対応のDVカメラ２０４とが図６で示した６ピン-６ピンケーブル８０２で接続されている。
【非特許文献１】IEEE Std 1394-1995, IEEE Standard for a High Performance Serial Bus, p.65
【非特許文献２】IEEE Std 1394a-2000, IEEE Standard for a High Performance Serial Bus - Amendment1, p.32 Figure 4-11J
【発明の開示】
【発明が解決しようとする課題】
【０００３】
従来の６ピン-４ピンケーブル８０１は、信号線のみが接続されていて送電することができないので、４ピンコネクタを２つ備えたIEEE1394対応サーボドライブ２０３のようなデバイスを経由して、IEEE1394ネットワークからの電源で駆動が可能なＤＶカメラ２０４のようなデバイスへは電源が供給できないという問題があった。また、図８のような場合はパソコン２０２から２本のIEEE1394ケーブル８０１、８０２が配線されるので、配線が複雑になるというような問題もあった。また、パソコン２０２から１本のIEEE1394ケーブルでシステム構築する方法として、パソコン２０２とサーボドライブ２０３とカメラ２０４との間をIEEE1394HUBで中継する方法もあるが、IEEE1394HUBを配置するスペースが余分に必要であるという問題もあった。
本発明はこのような問題点に鑑みてなされたものであり、IEEE1394aの４ピンコネクタのような信号線のみが接続されるコネクタを複数備えたデバイスを経由しても後続のデバイスに電源の供給を可能にするとともに、ネットワークを使ったシステムを省配線化、省スペース化できる通信ケーブルを提供することを目的とする。
【課題を解決するための手段】
【０００４】
上記問題を解決するため、本発明は、次のように構成したのである。
請求項１に記載の発明は、両端の端子間が電源線と信号線で接続された通信ケーブルにおいて、前記電源線が前記両側の端子間で直結されているとともに、前記信号線が前記両側の端子から配線され、それぞれ別の２つの端子と接続されていることを特徴とするものである。
また、請求項２に記載の発明は、請求項１に記載の通信ケーブルにおいて、前記両端の端子間が電源線と信号線で接続されたケーブルがIEEE1394ケーブルであり、前記信号線が前記両側の端子から配線され、それぞれ別に接続されている２つの端子がIEEE1394a規格の４ピン端子であることを特徴とするものである。
また、請求項３に記載の発明は、請求項２に記載の通信ケーブルにおいて、前記IEEE1394a規格の4ピン端子に代えて、前記信号線（１０６、１０７）が前記両端の端子から配線され、それぞれ別の２つのIEEE1394a規格の４ピン中継端子（３０１、３０２）と接続されていることを特徴とするものである。
また、請求項４に記載の発明は、請求項２または請求項３に記載の通信ケーブルにおいて、前記両端の端子がIEEE1394規格の６ピン端子であることを特徴とするものである。
また、請求項５に記載の発明は、請求項２または請求項３に記載の通信ケーブルにおいて、前記両端の端子がIEEE1394b規格の９ピン端子であることを特徴とするものである。
また、請求項６に記載の発明は、請求項２または請求項３に記載の通信ケーブルにおいて、前記両端の端子が一方はIEEE1394b規格の９ピン端子であり、他方がIEEE1394規格の６ピン端子であることを特徴とするものである。
【発明の効果】
【０００５】
請求項１に記載の発明によると、両端の端子間が電源線と信号線で接続された通信ケーブルにおいて、電源線が両側の端子間で直結されているとともに、信号線が両側の端子から配線され、それぞれ別の２つの端子と接続されているので、信号線のみが接続されるコネクタを複数備えたデバイスを経由しても後続のデバイスに電源の供給を可能にするとともに、ネットワークシステムを省配線化、省スペース化できる。
また、請求項２に記載の発明によると、両端の端子間が電源線と信号線で接続されたケーブルがIEEE1394ケーブルであり、信号線が両側の端子から配線され、それぞれ別に接続されている端子が２つのIEEE1394a規格の４ピン端子であるので、４ピンコネクタを複数備えたデバイスを経由しても後続のデバイスに電源の供給を可能にするとともに、ネットワークシステムを省配線化、省スペース化できる。
また、請求項３に記載の発明によると、IEEE1394a規格の4ピン端子に代えて、IEEE1394a規格の４ピン中継端子と接続されているので、用途に合わせた長さの４ピン-４ピンケーブルを選択し、接続することができるため、システム構築の自由度を大きくすることができ、様々なシステムに対して、４ピンコネクタを複数備えたIEEE1394デバイスを経由しても後続のIEEE1394デバイスに電源の供給を可能にすることができる。
また、請求項４に記載の発明によると、４ピンコネクタを複数備えたIEEE1394デバイスを経由して、６ピンコネクタを備えたIEEE1394デバイスへ電源の供給が可能となる。
また、請求項５に記載の発明によると、４ピンコネクタを複数備えたIEEE1394デバイスを経由して、９ピンコネクタを備えたIEEE1394bデバイスへ電源の供給が可能となる。
また、請求項６に記載の発明によると、４ピンコネクタを複数備えたIEEE1394デバイスを経由して、９ピンコネクタを備えたIEEE1394bデバイスから６ピンコネクタを備えたIEEE1394デバイスへ電源の供給が可能となる。
【発明を実施するための最良の形態】
【０００６】
以下、本発明の実施の形態について図を参照して説明する。
【実施例１】
【０００７】
図１は、本発明の第１実施例における通信ケーブルの構成図である。
図において、１０１と１０２はIEEE1394規格の６ピン端子、１０３、１０４は同じくIEEE1394a規格の４ピン端子である。また６ピン端子１０１と１０２の電源ピンは電源線１０５で接続されており、６ピン端子１０１と１０２の信号ピンは４ピン端子１０３および１０４とそれぞれ信号線およびシールド１０６および１０７で接続されている。
【０００８】
図２は、本発明の第１実施例における通信ケーブルを使用したシステム構成図である。
６ピンコネクタを備えIEEE1394ケーブルを通して電源の供給が可能なパソコン２０２と、４ピンコネクタを２つ備えたIEEE1394対応サーボドライブ２０３と、６ピンコネクタを備えIEEE1394ケーブルから供給された電源で駆動が可能なIEEE1394対応ＤＶ（Digital  Video）カメラ２０４とが、本発明のIEEE1394ケーブル２０１で接続されている。
【０００９】
このように、両端の６ピン端子１０１、１０２における電源ピンとの間を接続した構成をしているので、サーボドライブ２０３を経由しながらも、ＤＶカメラ２０４へ電源を供給することができるとともに、パソコン２０２から配線されるIEEE1394ケーブルが１本ですむため、システムを省配線化、省スペース化できる。
【実施例２】
【００１０】
図３は本発明の第２実施例における通信ケーブルの構成図である。
図１との差異は、４ピン端子１０３および１０４の代わりに４ピン中継端子３０１および３０２が取り付けられていることである。
【００１１】
このように、４ピン中継端子が備えられている構成をしているので、用途に合わせた長さの４ピン-４ピンケーブルを選択し、中継端子３０１および３０２に接続することができるため、システム構築の自由度を大きくすることができる。
【実施例３】
【００１２】
図４は、本発明の第３実施例における通信ケーブルの構成図である。
図において、４０１と４０２はIEEE1394b規格の９ピン端子、１０３、１０４は同じくIEEE1394a規格の４ピン端子である。また９ピン端子４０１と４０２の電源ピンは電源線４０５で接続されており、９ピン端子４０１と４０２の信号ピンは４ピン端子１０３および１０４とそれぞれ信号線およびシールド４０３および４０４で接続されている。効果は第一実施例と同様であるので省略する。
【実施例４】
【００１３】
図５は、本発明の第４実施例における通信ケーブルの構成図である。
図において、４０１はIEEE1394b規格の９ピン端子、１０２はIEEE1394規格の６ピン端子、１０３、１０４はIEEE1394a規格の４ピン端子である。また９ピン端子４０１と６ピン端子１０２の電源ピンは電源線５０１で接続されており、９ピン端子４０１の信号ピンは４ピン端子１０３と信号線およびシールド４０３で接続されている。また、６ピン端子１０２の信号ピンは４ピン端子１０４と信号線およびシールド１０７で接続されている。効果は第一実施例と同様であるので省略する。
【図面の簡単な説明】
【００１４】
【図１】本発明の第１実施例における通信ケーブルの構成図
【図２】本発明の第１実施例における通信ケーブルを使用したシステム構成図
【図３】本発明の第２実施例における通信ケーブルの構成図
【図４】本発明の第３実施例における通信ケーブルの構成図
【図５】本発明の第４実施例における通信ケーブルの構成図
【図６】従来のIEEE1394規格の６ピン−６ピンケーブルの構成図
【図７】従来のIEEE1394a規格の６ピン−４ピンケーブルの構成図
【図８】従来のIEEE1394ケーブルを使用したシステム構成図
【符号の説明】
【００１５】
１０１、１０２  ６ピン端子
１０３、１０４  ４ピン端子
１０５          電源線
１０６、１０７  信号線＋シールド
２０１          IEEE1394ケーブル
２０２          パソコン
２０３          IEEE1394対応サーボドライブ
２０４          IEEE1394対応ＤＶカメラ（バスパワード）
３０１、３０２  ４ピン中継端子
４０１、４０２  ９ピン端子
４０３、４０４  信号線＋シールド
４０５          電源線
５０１          電源線
６０１          信号線＋シールド
６０２          シールド
８０１          ６ピン-４ピンケーブル
８０２          ６ピン-６ピンケーブル
【図１】
2007220592.tif 000003
【図２】
2007220592.tif 000004
【図３】
2007220592.tif 000005
【図４】
2007220592.tif 000006
【図５】
2007220592.tif 000007
【図６】
2007220592.tif 000008
【図７】
2007220592.tif 000009
【図８】
2007220592.tif 000010